(57)【要約】 【課題】  印刷用紙の端部まで画像を記録する印刷において、被写体のはみ出しを抑制する技術を提供する。【解決手段】  本発明は、印刷媒体上にインクを吐出することによってドットを形成する印刷部を用いて印刷を行うために、印刷部に供給すべき印刷データを生成する印刷制御装置である。この印刷制御装置は、与えられた画像データに応じて、印刷媒体よりも広い印刷画像領域の各画素に形成されるべきドットの形成状態を表すドットデータを生成するドットデータ生成部を備える。このドットデータ生成部は、画像データによって表される同一の画像が、印刷画像領域の比較的中央に属する中央領域よりも、画像領域の比較的周辺に属する周辺領域において大きく再現されるように構成されていることを特徴とする。【選択図】  図８
2005169777.tif 000002
【特許請求の範囲】
【請求項１】
印刷媒体上にインクを吐出することによってドットを形成する印刷部を用いて印刷を行うために、前記印刷部に供給すべき印刷データを生成する印刷制御装置であって、
与えられた画像データに応じて、前記印刷媒体よりも広い印刷画像領域の各画素に形成されるべきドットの形成状態を表すドットデータを生成するドットデータ生成部を備え、
前記ドットデータ生成部は、前記画像データによって表される同一の画像が、前記印刷画像領域の比較的中央に属する中央領域よりも、前記画像領域の比較的周辺に属する周辺領域において大きく再現されるように前記ドットデータを生成することを特徴とする、印刷制御装置。
【請求項２】
請求項１記載の印刷制御装置であって、
前記ドットデータ生成部は、前記画像データの解像度を変換して前記画像データの領域を前記印刷画像領域とする解像度変換部を備え、
前記解像度変換部は、前記中央領域よりも前記周辺領域の拡大率が大きくなるように解像度を変換する、印刷制御装置。
【請求項３】
請求項２記載の印刷制御装置であって、
前記印刷制御装置は、前記印刷媒体の端部を含む印刷媒体全体に印刷を行う縁なし印刷モードと、前記印刷媒体の中央部側だけに印刷を実行する通常印刷モードとを含む複数の印刷モードを有し、
前記解像度変換部は、前記縁なし印刷モードにおいては、前記周辺領域の拡大率のみを前記通常印刷モードよりも大きくする、印刷制御装置。
【請求項４】
印刷装置であって、
印刷媒体上にインクを吐出することによってドットを形成する印刷部と、
請求項１ないし３のいずれかに記載の印刷制御装置と、
を備える印刷装置。
【請求項５】
印刷媒体上にドットを形成することによって印刷を行う方法であって、
（ａ）与えられた画像データに応じて、前記印刷媒体よりも広い印刷画像領域の各画素に形成されるべきドットの形成状態を表すドットデータを生成する工程と、
（ｂ）前記ドットデータに応じて、前記印刷媒体上にインクを吐出することによってドットを形成する工程と、
を備え、
前記工程（ａ）は、前記画像データによって表される同一の画像が、前記印刷画像領域の比較的中央に属する中央領域よりも、前記画像領域の比較的周辺に属する周辺領域において大きく再現されるように前記ドットデータを生成する工程を含むことを特徴とする、印刷制御装置。
【請求項６】
印刷媒体上にインクを吐出することによってドットを形成する印刷部を用いて印刷を行うために、前記印刷部に供給すべき印刷データを生成するための処理をコンピュータに実行させるためのコンピュータプログラムであって、
与えられた画像データに応じて、前記印刷媒体よりも広い印刷画像領域の各画素に形成されるべきドットの形成状態を表すドットデータを生成する機能を前記コンピュータに実現させるプログラムを備え、
前記機能は、前記画像データによって表される同一の画像が、前記印刷画像領域の比較的中央に属する中央領域よりも、前記画像領域の比較的周辺に属する周辺領域において大きく再現されるように前記ドットデータを生成する機能を含むことを特徴とする、コンピュータプログラム。
【発明の詳細な説明】
【技術分野】
【０００１】
この発明は、印刷ヘッドを用いて印刷媒体上にドットを形成することによって印刷を行う技術に関する。
【背景技術】
【０００２】
近年、コンピュータの出力装置として、印刷ヘッドのノズルからインクを吐出するプリンタが広く普及しており、たとえば特許文献１に開示されているように印刷用紙の端部まで画像を記録できるようなプリンタも実現されている。このような縁なし印刷を実現する方法の一つとして、画像領域を印刷用紙よりも大きくするとともに、印刷用紙の外側の画像領域に吐出されたインクをプラテンの溝部に備えられたインク吸収材により吸収する方法が実現されている。
【０００３】
【特許文献１】特開２００２−１０３５８６号公報
【特許文献２】特開２００３−４６７６３号公報
【特許文献３】特開２００３−９８９１５号公報
【特許文献４】特開２００３−１６３１４４号公報
【発明の開示】
【発明が解決しようとする課題】
【０００４】
しかし、この印刷方法では、印刷用紙の外側の画像領域に被写体がはみ出してしまって被写体の一部が印刷されない場合が生じていた。
【０００５】
この発明は、従来技術における上述の課題を解決するためになされたものであり、印刷用紙の端部まで画像を記録する印刷において、画像のはみ出しを抑制する技術を提供することを目的とする。
【課題を解決するための手段】
【０００６】
本発明は、印刷媒体上にインクを吐出することによってドットを形成する印刷部を用いて印刷を行うために、前記印刷部に供給すべき印刷データを生成する印刷制御装置であって、
与えられた画像データに応じて、前記印刷媒体よりも広い印刷画像領域の各画素に形成されるべきドットの形成状態を表すドットデータを生成するドットデータ生成部を備え、
前記ドットデータ生成部は、前記画像データによって表される同一の画像が、前記印刷画像領域の比較的中央に属する中央領域よりも、前記画像領域の比較的周辺に属する周辺領域において大きく再現されるように前記ドットデータを生成することを特徴とする。
【０００７】
本発明の印刷制御装置によれば、画像データによって表される同一の画像が、印刷画像領域の比較的中央に属する中央領域よりも、画像領域の比較的周辺に属する周辺領域において大きく再現されるように構成されているので、画像データによって表される原画像の印刷用紙外へのはみ出しを抑制することができる。
【０００８】
上記印刷制御装置において、前記ドットデータ生成部は、前記画像データの解像度を変換して前記画像データの領域を前記印刷画像領域とする解像度変換部を備え、
前記解像度変換部は、前記中央領域よりも前記周辺領域の拡大率が大きくなるように解像度を変換するようにしても良いし、
あるいは、
前記印刷制御装置は、前記印刷媒体の端部を含む印刷媒体全体に印刷を行う縁なし印刷モードと、前記印刷媒体の中央部側だけに印刷を実行する通常印刷モードとを含む複数の印刷モードを有し、
前記解像度変換部は、前記縁なし印刷モードにおいては、前記周辺領域の拡大率のみを前記通常印刷モードよりも大きくするようにしても良い。
【０００９】
なお、本発明は、種々の態様で実現することが可能であり、たとえば、印刷方法および印刷装置、印刷制御方法および印刷制御装置、それらの方法または装置の機能を実現するためのコンピュータプログラム、そのコンピュータプログラムを記録した記録媒体、そのコンピュータプログラムを含み搬送波内に具現化されたデータ信号、等の態様で実現することができる。
【発明を実施するための最良の形態】
【００１０】
以下、本発明の実施の形態について、実施例に基づき以下の順序で説明する。
Ａ．装置の構成：
Ｂ．本発明の実施例における印刷処理：
Ｃ．変形例：
【００１１】
Ａ．装置の構成：
図１は、本発明の一実施例としての印刷システムの構成を示すブロック図である。この印刷システムは、印刷制御装置としてのコンピュータ９０と、印刷部としてのカラープリンタ２０と、を備えている。なお、カラープリンタ２０とコンピュータ９０の組み合わせを、広義の「印刷装置」と呼ぶことができる。
【００１２】
コンピュータ９０では、所定のオペレーティングシステムの下で、アプリケーションプログラム９５が動作している。オペレーティングシステムには、ビデオドライバ９１やプリンタドライバ９６が組み込まれており、アプリケーションプログラム９５からは、これらのドライバを介して、カラープリンタ２０に転送するための印刷データＰＤが出力されることになる。アプリケーションプログラム９５は、処理対象の画像に対して所望の処理を行い、また、ビデオドライバ９１を介してＣＲＴ２１に画像を表示する。
【００１３】
プリンタドライバ９６の内部には、解像度変換モジュール９７と、色変換モジュール９８と、減色モジュール９９と、印刷データ生成モジュール１００と、複数の色変換テーブルＬＵＴと、ドット記録率テーブルＤＴと、が備えられている。これらの機能については後述する。
【００１４】
プリンタドライバ９６は、印刷データＰＤを生成する機能を実現するためのプログラムに相当する。プリンタドライバ９６の機能を実現するためのプログラムは、コンピュータ読み取り可能な記録媒体に記録された形態で供給される。このような記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読み取り可能な種々の媒体を利用できる。
【００１５】
図２は、カラープリンタ２０の概略構成図である。カラープリンタ２０は、紙送りモータ２２によって印刷用紙Ｐを副走査方向に搬送する副走査駆動部と、キャリッジモータ２４によってキャリッジ３０を紙送りローラ２５の軸方向（主走査方向）に往復動させる主走査駆動部と、キャリッジ３０に搭載された印刷ヘッドユニット６０（「印刷ヘッド集合体」とも呼ぶ）を駆動してインクの吐出およびドット形成を制御するヘッド駆動機構と、これらの紙送りモータ２２，キャリッジモータ２４，印刷ヘッドユニット６０および操作パネル３２との信号のやり取りを司る制御回路４０とを備えている。制御回路４０は、コネクタ５６を介してコンピュータ９０に接続されている。
【００１６】
印刷用紙Ｐを搬送する副走査駆動部は、紙送りモータ２２の回転を紙送りローラ２５に伝達する図示しないギヤトレインを備える。また、キャリッジ３０を往復動させる主走査駆動部は、紙送りローラ２５の軸と並行に架設されキャリッジ３０を摺動可能に保持する摺動軸３４と、キャリッジモータ２４との間に無端の駆動ベルト３６を張設するプーリ３８と、キャリッジ３０の原点位置を検出する位置センサ３９とを備えている。
【００１７】
図３は、制御回路４０を中心としたカラープリンタ２０の構成を示すブロック図である。制御回路４０は、ＣＰＵ４１と、プログラマブルＲＯＭ（Ｐ−ＲＯＭ）４３と、ＲＡＭ４４と、文字のドットマトリクスを記憶したキャラクタジェネレータ（ＣＧ）４５とを備えた算術論理演算回路として構成されている。この制御回路４０は、さらに、外部のモータ等とのインタフェースを専用に行なうＩ／Ｆ専用回路５０と、このＩ／Ｆ専用回路５０に接続され印刷ヘッドユニット６０を駆動してインクを吐出させるヘッド駆動回路５２と、紙送りモータ２２およびキャリッジモータ２４を駆動するモータ駆動回路５４とを備えている。Ｉ／Ｆ専用回路５０は、パラレルインタフェース回路を内蔵しており、コネクタ５６を介してコンピュータ９０から供給される印刷データＰＤを受け取ることができる。カラープリンタ２０は、この印刷データＰＤに従って印刷を実行する。なお、ＲＡＭ４４は、ラスタデータを一時的に格納するためのバッファメモリとして機能する。
【００１８】
印刷ヘッドユニット６０は、印刷ヘッド２８を有しており、また、インクカートリッジを搭載可能である。なお、印刷ヘッドユニット６０は、１つの部品としてカラープリンタ２０に着脱される。すなわち、印刷ヘッド２８を交換しようとする際には、印刷ヘッドユニット６０を交換することになる。
【００１９】
図４は、印刷用紙Ｐの端部を印刷を行う様子を示す説明図である。下流側溝部１２６ｒの開口上には、印刷ヘッド２８の２つのノズル＃１、＃２が配置されており、また、上流側溝部１２６ｆの開口上とプラテンフレーム１２５上には、２つのノズル＃７、＃８と他のノズル＃３、＃４、＃５、＃６とがそれぞれ配置されている。さらに、図４（ｂ）に示されるように、印刷用紙Ｐの側端部Ｐｓは、側方溝部１２６ｓの開口上に配置されている。また、下流側溝部１２６ｒや上流側溝部１２６ｆ、側方溝部１２６ｓといった溝部には、インクを吸収するためのインク吸収材１２７ｒ、１２７ｆ、１２７ｓがそれぞれ備えられている。
【００２０】
４つのノズル＃１、＃２、＃７、＃８は、下流側溝部１２６ｒや上流側溝部１２６ｆの開口上に配置されているので、印刷用紙Ｐが副走査送りによって到達する前や通過後にインクを吐出してもプラテンフレーム１２５やローラ２５ｄをインクで汚すことはない。印刷用紙Ｐの副走査送りは、上流側紙送りローラ２５ａ、２５ｂと下流側紙送りローラ２５ｃ、２５ｄの少なくとも一方によって行われる。なお、上流側紙送りローラ２５ａ、２５ｂと下流側紙送りローラ２５ｃ、２５ｄは、前述の紙送りローラ２５に相当する。
【００２１】
図４（ａ）は、印刷用紙Ｐの先端部Ｐｆに印刷が行われている様子を示している。２つのノズル＃１、＃２は、印刷用紙Ｐの先端部Ｐｆがこれらのノズルが記録できる位置に送られてくる少し前からインクの吐出を開始する。これにより、紙送り誤差があってもプラテンフレーム１２５やローラ２５ｄをインクで汚すことなく印刷用紙Ｐの先端部Ｐｆまで余白をつくることなく印刷を行うことができる。
【００２２】
図４（ｂ）は、印刷用紙Ｐの側端部Ｐｓに印刷が行われている様子を示している。印刷用紙Ｐの側端部Ｐｓは側方溝部１２６ｓの開口上に配置されているので、同様に印刷用紙Ｐの側端部Ｐｓまで余白をつくることなく印刷を行うことができる。
【００２３】
図４（ｃ）は、印刷用紙Ｐの後端部Ｐｒに印刷が行われている様子を示している。２つのノズル＃７、＃８は、印刷用紙Ｐの後端部Ｐｒがこれらのノズルが記録できる位置を通過した後にインクの吐出を停止する。これにより、紙送り誤差があってもプラテンフレーム１２５等をインクで汚すことなく印刷用紙Ｐの後端部Ｐｒまで余白をつくることなく印刷を行うことができる。
【００２４】
図５は、印刷ヘッド２８の下面におけるノズルＮｚの配列を示す説明図である。印刷ヘッド２８の下面には、ブラックインクＫ、シアンインクＣ、淡シアンインクＬＣ、マゼンタインクＭ、淡マゼンタインクＬＭ、イエローインクＹをそれぞれ吐出するためのノズル群が形成されている。
【００２５】
以上説明したハードウェア構成を有するカラープリンタ２０は、紙送りモータ２２により印刷用紙Ｐを搬送しつつ、キャリッジ３０をキャリッジモータ２４により往復動させ、同時に印刷ヘッド２８のピエゾ素子を駆動して、各色インク滴の吐出を行い、大中小のインクドットを形成して印刷用紙Ｐ上に多色多階調の画像を形成する。
【００２６】
Ｂ．本発明の実施例における印刷処理：
図６は、本発明の実施例における印刷データ生成処理のルーチンを示すフローチャートである。印刷データ生成処理とは、カラープリンタ２０に供給するための印刷データＰＤを生成するためにコンピュータ９０で行われる処理である。
【００２７】
ステップＳ１００では、ユーザは、印刷モードの設定を行う。この設定パラメータには、印刷用紙Ｐの端部を含む印刷媒体全体に印刷を行う縁なし印刷モードと、印刷媒体の中央部側だけに印刷を実行する通常印刷モードとが含まれている。印刷モードの設定は、ディスプレイ２１に表示される図示しないユーザインターフェース画面上で行われる。
【００２８】
ステップＳ２００では、プリンタドライバ９６（図１）は、アプリケーションプログラム９５から画像データを入力する。この入力処理は、アプリケーションプログラム９５による印刷命令に応じて行われる。ここで、画像データは、ＲＧＢデータであるものとしている。
【００２９】
ステップＳ３００では、解像度変換モジュール９７は、入力されたＲＧＢ画像データの解像度（すなわち、単位長さ当りの画素数）を所定の解像度に変換する。
【００３０】
解像度変換モジュール９７は、印刷モードが縁なし印刷モードであるか否かに応じて解像度変換処理の内容を変更する。印刷モードが通常印刷モードに設定されている場合には、印刷用紙Ｐよりも小さな画像データ領域となるように解像度変換処理が行われる。印刷用紙Ｐよりも小さな画像データ領域としているのは、印刷用紙Ｐの位置がずれても印刷用紙Ｐの外側にインクが吐出されないようにするためである。一方、印刷モードが縁なし印刷モードに設定されている場合には、端部まで印刷するために印刷用紙Ｐよりも大きな画像データ領域となるように解像度変換処理が行われる。
【００３１】
図７は、解像度変換がなされた２つの画像データ領域と印刷用紙Ｐとの間の関係を示す平面図である。２つの画像データ領域は、縁なし印刷モードにおける画像データ領域と、通常印刷モードにおける画像データ領域である。２つの画像データ領域は、本実施例では、共通する「固定領域」を中央部に有している。ただし、縁なし印刷モードにおける画像データ領域は、拡大率が「２」の拡大領域を有しているのに対して、通常印刷モードにおける画像データ領域は、拡大率が「１」の拡大領域を有している点で異なる。このように、本実施例では、縁なし印刷モードにおける画像データ領域は、周辺に配置された拡大領域の拡大率を大きくすることによって印刷用紙Ｐよりも大きな画像データ領域を構成している。
【００３２】
図８は、縁なし印刷モードにおいて印刷用紙Ｐの外部にはみ出す画像データ領域の大きさを示す説明図である。この図は、図７をＡ視の方向から見た図である。図８（ａ）は、比較例の解像度変換処理における場合を示している。図８（ｂ）は、本発明の実施例の解像度変換処理における場合を示している。なお、図８に示される例では、印刷用紙Ｐは、配置誤差によって右側にシフトしている。
【００３３】
比較例の解像度変換処理では、画像データ領域が同一の拡大率で一様に拡大されている。一方、実施例の解像度変換処理では、前述のように固定領域では拡大率が「１」となっており、拡大領域では拡大率が「２」となっている。すなわち、固定領域では拡大処理が行われず、拡大領域においてのみ大きな拡大倍率で画像の拡大が行われている。
【００３４】
この結果、本発明の実施例では、比較例のはみ出し量Ｌ１、Ｌ２よりも小さなはみ出し量Ｌ１’、Ｌ２’だけ原画像が印刷用紙Ｐの外部にはみ出していることが分かる。このように、実施例のはみ出し量が小さくなっているのは、はみ出す画像領域における拡大率が部分的に大きくされているため、はみ出す画像領域の拡大前の画像に相当する部分（原画像）が小さくなるからである。
【００３５】
図９は、比較例の縁なし印刷モードにおける印刷画像の一例を示している。図１０は、本発明の実施例の縁なし印刷モードにおける印刷画像の一例を示している。比較例（図９）では、被写体の一部が欠けているのに対して、本発明の実施例（図１０）では、被写体に欠けがないことが分かる。
【００３６】
なお、本発明の実施例の印刷画像では周辺部に拡大による変形が生じている。しかしながら、被写体の欠損が印刷画像の印象を大きく損なうのに対して、背景の変形は、ほとんど気にならないことが通例である。このようにして、解像度変換処理が完了すると、処理がステップＳ４００（図６）に進められる。
【００３７】
ステップＳ４００では、色変換モジュール９８は、色変換テーブルＬＵＴを参照しつつ、各画素ごとに、ＲＧＢ画像データを、カラープリンタ２０が利用可能なインク色の多階調データに変換する。
【００３８】
ステップＳ５００では、減色モジュール９９は、減色処理を行う。減色処理とは、多階調データの階調数である２５６階調を、たとえばカラープリンタ２０が各画素で表現可能な階調数である２階調に減少させる処理である。この２階調は、本実施例では、「ドットの形成なし」と「ドットの形成」で表現される。
【００３９】
ステップＳ６００では、印刷データ生成モジュール１００は、各画素におけるドットの形成状態を表すドットデータを、カラープリンタ２０に転送すべきデータ順に並べ替えて、最終的な印刷データＰＤとして出力する。印刷データＰＤは、各主走査時のドットの記録状態を示すラスタデータと、副走査送り量を示すデータと、を含んでいる。
【００４０】
このように、本実施例では、画像データが解像度変換処理によって画像データ領域の周辺部においてのみ大きく拡大されるので、画像データの領域の印刷用紙外への原画像のはみ出しを抑制することができる。
【００４１】
Ｃ．変形例：
なお、この発明は上記の実施例や実施形態に限られるものではなく、その要旨を逸脱しない範囲において種々の態様において実施することが可能であり、たとえば次のような変形も可能である。
【００４２】
Ｃ−１．上述の各実施例では、印刷媒体として矩形型のカット紙である印刷用紙Ｐが使用されているが、本発明は、副走査方向に長いロール紙に印刷する場合にも適用することができる。ただし、ロール紙に印刷する場合には、第１変形例（図１１）に示されるように画像データの領域のうちで印刷媒体の副走査方向に平行な端部側にのみ拡大領域を設定することが好ましい。こうすれば、印刷媒体の主走査方向に平行な端部側における画像の拡大による画質の劣化を抑制することができるという利点がある。
【００４３】
Ｃ−２．上述の各実施例では、拡大率をステップ状に変化させているが、たとえば第２変形例（図１２（ａ））に示されるように連続的に変化させてもよい。ただし、実施例は、簡易に実施できるという利点があり、第２変形例は、拡大領域と固定領域の境界における拡大倍率の急変に伴う画質の劣化を抑制することができるという利点がある。
【００４４】
Ｃ−３．上述の実施例や変形例では、画像を拡大しない領域と拡大する領域とを有するように構成されているが、たとえば第３変形例（図１２（ｂ））に示されるように全体を連続的に変化させるように構成してもよい。本発明における解像度変換処理は、一般に、比較的周辺の領域における拡大率が比較的中央の領域における拡大率よりも小さくなるように構成されていれば良い。
【００４５】
Ｃ−４．上述の実施例や変形例では、比較的周辺の領域における拡大率が比較的中央の領域における拡大率よりも大きくなるように解像度変換処理が行われているが、たとえば周辺領域の画素のサイズを中央領域の画素のサイズよりも大きくするようにしても良い。本発明は、一般に、画像データによって表される同一の画像が、印刷画像領域の比較的中央に属する中央領域よりも、画像領域の比較的周辺に属する周辺領域において大きく再現されるように構成されていれば良い。
【００４６】
Ｃ−５．上述の各実施例では、ピエゾ素子を備えるインクジェットプリンタを例に説明したが、いわゆるノズルに備えたヒータに通電することによりインク内に生じるバブルでインクを吐出するタイプのプリンタを始め種々のプリンタその他の印刷装置に適用可能である。
【００４７】
Ｃ−６．この発明はカラー印刷だけでなくモノクロ印刷にも適用できる。また、１画素を複数のドットで表現することにより多階調を表現する印刷にも適用できる。
【００４８】
Ｃ−７．上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、図１に示したプリンタドライバ９６の機能の一部または全部を、プリンタ２０内の制御回路４０が実行するようにすることもできる。この場合には、印刷データを作成する印刷制御装置としてのコンピュータ９０の機能の一部または全部が、プリンタ２０の制御回路４０によって実現される。
【００４９】
本発明の機能の一部または全部がソフトウェアで実現される場合には、そのソフトウェア（コンピュータプログラム）は、コンピュータ読み取り可能な記録媒体に格納された形で提供することができる。この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【００５０】
【図１】本発明の一実施例としての印刷システムの構成を示すブロック図。
【図２】本発明の実施例におけるカラープリンタ２０の構成の概略を示す斜視図。
【図３】制御回路４０を中心としたカラープリンタ２０の構成を示すブロック図。
【図４】印刷用紙Ｐの端部を印刷を行う様子を示す説明図。
【図５】印刷ヘッド２８の下面におけるノズルＮｚの配列を示す説明図。
【図６】本発明の実施例における印刷データ生成処理のルーチンを示すフローチャート。
【図７】解像度変換がなされた２つの画像データ領域と印刷用紙Ｐとの間の関係を示す平面図。
【図８】縁なし印刷モードにおいて印刷用紙の外部にはみ出す画像データ領域の大きさを示す説明図。
【図９】比較例の縁なし印刷モードにおける印刷画像の一例。
【図１０】本発明の実施例の縁なし印刷モードにおける印刷画像の一例。
【図１１】ロール紙に印刷する場合において解像度変換がなされた画像データ領域と印刷用紙Ｒとの間の関係を示す平面図。
【図１２】２つの変形例における解像度変換の拡大率を示す平面図。
【符号の説明】
【００５１】
２０…カラープリンタ
２１…ＣＲＴ
２１…ディスプレイ
２２…紙送りモータ
２４…キャリッジモータ
２５…紙送りローラ
２５ａ…上流側紙送りローラ
２５ｃ…下流側紙送りローラ
２５ｄ…ローラ
２８…印刷ヘッド
３０…キャリッジ
３２…操作パネル
３４…摺動軸
３６…駆動ベルト
３８…プーリ
３９…位置センサ
４０…制御回路
４１…ＣＰＵ
４４…ＲＡＭ
５０…Ｉ／Ｆ専用回路
５２…ヘッド駆動回路
５４…モータ駆動回路
５６…コネクタ
６０…印刷ヘッドユニット
９０…コンピュータ
９１…ビデオドライバ
９５…アプリケーションプログラム
９６…プリンタドライバ
９７…解像度変換モジュール
９８…色変換モジュール
９９…減色モジュール
１００…印刷データ生成モジュール
１２５…プラテンフレーム
１２６ｆ…上流側溝部
１２６ｒ…下流側溝部
１２６ｓ…側方溝部
１２７ｒ…インク吸収材
【図１】
2005169777.tif 000003
【図２】
2005169777.tif 000004
【図３】
2005169777.tif 000005
【図４】
2005169777.tif 000006
【図５】
2005169777.tif 000007
【図６】
2005169777.tif 000008
【図７】
2005169777.tif 000009
【図８】
2005169777.tif 000010
【図９】
2005169777.tif 000011
【図１０】
2005169777.tif 000012
【図１１】
2005169777.tif 000013
【図１２】
2005169777.tif 000014